(57)【要約】【課題】透明なパックに入れたトイレットペーパを外から見て、トイレットペーパの存在を目立たせて購買意欲を起こさせる。【解決手段】  個々のトイレットペーパに異なる模様や色彩を夫々に付与し、それらのトイレットペーパを一つのパックに収納する。【選択図】        図１
2006136499.tif 000002
【特許請求の範囲】
【請求項１】
個々のトイレットペーパに異なる模様又は色彩を印刷し、その複数のトイレットペーパを一つのパックに収納したトイレットペーパ。
【請求項２】
個々のトイレットペーパにカットする前の横長のトイレットペーパロールを、その横方向に、各トイレットペーパの幅ごとに複数の模様または色彩を異にするごとく印刷したトイレットペーパロール。
【請求項３】
フレキソ印刷方式でトイレットペーパロールに印刷するに際し、アニロックスローラに、その横方向に各トイレットペーパの幅相当分を単位に、異なる模様又は色彩を付与するようにし、トイレットペーパロールの横方向に、異なる模様又は色彩を印刷するトイレットペーパロールの印刷方法。
【請求項４】
フレキソ印刷機のアニロックスローラに、トイレットペーパに相当する幅ごとにメッシュを形成し、各メッシュ間にはメッシュを形成せず、および／またはサイドシール体を設けて印刷インキの横方向への移動を阻止するようにしたトイレットペーパ印刷用のフレキソ印刷機のアニロックスローラ。
【発明の詳細な説明】
【技術分野】
【０００１】
本発明は日常使用するトイレットペーパに関し、特に印刷したトイレットペーパとその印刷方法等に関する発明である。
【背景技術】
【０００２】
従来使用されているトイレットペーパは無地か模様を印刷したものである。いずれにしてもそれらのトイレットペーパはそれを販売するときは、複数のトイレットペーパを一つの透明なパックに収納しているが、その場合はその一つのパックに入っているトイレットペーパ全部が無地か、全部が同じ模様のものからなっている。
【０００３】
したがって、店頭にそれらのトイレットペーパが透明のパックに詰められて売られている姿は、全部が無地か、印刷されていても同一の模様からなり単調であり、購買者は無地のトイレットペーパか単なる模様のついたトイレットペーパかの認識しかできない。
つまり、従来は模様が印刷されたトイレットペーパは全部同じ模様に印刷されたトイレットペーパであって、パック内のトイレットペーパは同じ模様で変化がない。
そこで本発明は、１つのパックに入っているトイレットペーパの模様を、トイレットペーパごとに変化をもたせ、消費者の注目を得るようにした発明である。
【発明の開示】
【発明が解決しようとする課題】
【０００４】
本発明は、多数のトイレットペーパを一つのパックに収容して販売する場合に、人目につくように、注目されるように、その各トイレットペーパの模様や色彩を個々のトイレットペーパごとに異なるようにし、その個々に相違する模様や色彩を異にした変化のあるトイレットペーパを容易、確実に得るためのトイレットペーパを得ることを狙ったものである。
そのためのトイレットペーパロールの印刷方法とその方法を実施するための装置を容易に得ることをもその課題とする。
【課題を解決するための手段】
【０００５】
本発明においては、市販されている状態の個々のトイレットペーパをトイレットペーパと表現し、それらの個々のトイレットペーパにカットする前の横長のロール状のトイレットペーパをトイレットペーパロールと以下表現する。
【０００６】
本発明は、個々のトイレットペーパに異なる模様又は色彩を印刷し、その複数のトイレットペーパを一つのパックに収納したトイレットペーパからなり、また、個々のトイレットペーパにカットする前の横長のトイレットペーパロールを、その横方向に、各トイレットペーパの幅ごとに複数の模様または色彩を異にするごとく印刷したトイレットペーパロール（個々のトイレットペーパにカットする前の横長のトイレットペーパロール）を得ることができ、そして、フレキソ印刷方式でトイレットペーパロールに印刷するに際し、アニロックスローラに、その横方向に各トイレットペーパの幅相当分を単位に、異なる模様又は色彩を付与するようにし、トイレットペーパロールの横方向に、異なる模様又は色彩を印刷するトイレットペーパロールの印刷方法からなる。
【０００７】
さらに、フレキソ印刷機のアニロックスローラに、トイレットペーパに相当する幅ごとにメッシュを形成し、各メッシュ間にはメッシュを形成せず、および／またはサイドシール体を設けて印刷インキの横方向に移動を阻止するようにしたトイレットペーパ印刷用のフレキソ印刷機のアニロックスローラをもその特徴とする。
【発明の効果】
【０００８】
１．一つの透明なパックに収納した多数のトイレットペーパの各模様や色彩が異なるので、購入者の目を引き、注目を集めることにより購買意欲を高めることができる。
２．一つのトイレットペーパロールには、横方向にトイレットペーパの幅ごとに色々の模様や色彩が付与されているので、それらをカットしさえすれば一度に色々の異なる模様や色彩のトイレットペーパが得られるので、容易に色々の異なる模様や色彩のトイレットペーパができる。したがって、一挙に能率的に色々の模様や色彩のトイレットペーパができ、カットすればすぐ一つのパックにつめることができる。
３．一つのトイレットペーパロールに色々の模様や色彩を付与する場合に、アニロックスローラの横方向に間隔をあけてトイレットペーパ幅のメッシュを多数付与したから、インキの横移動、横への滲みを防止でき、きれいな印刷が可能である。そのことはサイドシールパッキングを間隔部分に当接することによっても実現が可能である。
４．トイレットペーパロールに、横方向に異なる多数の模様や色彩を付与するようにしたから効率的に色々の模様や色彩のトイレットペーパを一度に完成させることができる。
５．多数の模様や色彩のトイレットペーパを、単にアニロックスローラの横方向への間隔をあけてメッシュを形成するだけで一度に製造できるので効率的に色々の模様や色彩のトイレットペーパを得ることができる。
【発明を実施するための最良の形態】
【０００９】
本発明において、トイレットペーパの原反に印刷をする場合、図３に示すようなフレキソ印刷機を用いることが好ましい。このフレキソ印刷機においてトイレットペーパの原反Ｐを矢印の方向に移動させながら多色印刷する。
【００１０】
フレキソ印刷（flexography)は凸版印刷の一種であるが、ゴム版や樹脂版といった、フレキシブルな版を使うことと、インキに流動性のよいものを使うことが特徴で、インキ装置がふつうの凸版印刷と違い、非常に簡単である。
【００１１】
多色機としては、図３のように、四本ロール構成の一色ユニットを、スタック形に何色分か連結したものが用いられている。
【００１２】
図３では６色の印刷が可能であり、６色ユニットの各ユニットは同じ構成からなるので、トイレットペーパ原反Ｐの入口にある第１ユニットを代表として説明すると、それは図４に示すごとき構成からなり、インキ皿１に浸したインキ出しローラ２でインキを上げ、インキ着けローラとしてアニロックスローラ３にインキを付着させる。
一般にアニロックスローラ３には表面全体にグラビアセルのような微小くぼみのます目、つまりメッシュ８が付与されている。
【００１３】
この方式では、インキ膜厚はアニロックスローラ３とインキ出しローラ２との間の絞り方や、アニロックス目のくぼみ体積によって決まるので、平版などのようなインキの分布やインキ出し量を調節する必要がない。なおアニロックスローラに、ドクターを使ってインキ量を規正することも行われる。このように、極めて単純な機構で、インキ着けの定量化、均一化が達成できることがフレキソ印刷の特徴である。
【００１４】
エンドレス模様が必要なときは、版胴４をゴムローラーのように、全面ゴム被覆したものに彫刻される。キッスインプレッションのためには、版胴４、圧胴５の円筒精度と、ゴム版の厚さの均一精度が重要である。
圧胴５は、オフセット機と同様に金属面のままであって、すべて駆動される。版胴４およびアニロックスローラ３の回転は、圧胴５の回転から連動されている。
効率を考えた場合、上記のインキ皿１とインキ出しローラ２に代えて、図５に示すアニロックスローラ３に直接インキを供給する密閉型チャンバー６を用いたインキ・コーターチャンバー方式を用いると好適である。
【００１５】
そこで一般には、トイレットペーパの原反Ｐに印刷する場合は、アニロックスローラ３の全面に印刷インキを塗布し、巻き取られた原反を単に１個ずつのトイレットペーパ９にカットし、それらのカットされたトイレットペーパ９を数個まとめてパックにする。
【００１６】
ところが本発明は１つのパックに異なる印刷をされたトイレットペーパを収納して使用者の目を引き、目立ったトイレットペーパのパックを得るために、１つのトイレットペーパロール自体にその横方向にトイレットペーパの幅単位に異なる模様や色彩を印刷し、その１つのトイレットペーパロールを横方向に順次カットするだけで同時に色々の模様や色彩のトイレットペーパが出来上がるようにしたのである。つまり、１つのトイレットペーパロールをカットしさえすれば、同時に種々の模様や色彩のトイレットペーパを得るので、簡単に各種の模様や色彩を施したトイレットペーパを得ることができる。
【００１７】
そのために、インキを付着させるアニロックスローラ３の横方向にトイレットペーパの幅に相当する幅ごとに付着させるのである。具体的には図２に示すアニロックスローラ３に、間隔７をあけてメッシュ８，８を付与する。このようにすることにより間隔７にはメッシュ８，８が付与されていないために、その間隔７は鏡面となりインキが付着されない。
【００１８】
このようにしてアニロックスローラ３にはトイレットペーパの幅に相当する部分を単位にインキが付与され、間隔７にはインキがつかないから、アニロックスローラ３の回転によりメッシュ８，８・・・の部分にだけインキが付着し、その結果トイレットペーパロールには印刷部分と非印刷部分ができ、非印刷部分をカットすることにより各トイレットペーパに色々の模様や色彩が実現される。
【００１９】
この場合、間隔７，７の部分にメッシュを付与しないとか、その部分にサイドシールパッキングを用いてインキが横方向に流れ込まないようにすることができる。かくして個々のトイレットペーパの印刷が正確に、無駄なく印刷することができる。
以上により、１つのトイレットペーパロールをカットすると、必然的にその各トイレットペーパを単に寄せ集めさえすれば自動的に異なる模様や色彩のトイレットペーパ９が得られ、それらを一つのパックの中におさめ、外観上変化に富んだ、色々の模様、色彩のトイレットペーパを収納することにより使用者の視覚を楽しませ、その結果購買意欲を助長して販売効果を高めることができるのである。
【００２０】
なおここで、一つのパックの中の全トイレットペーパがすべて異なる模様や色彩である必要はなく、同じ模様や色彩のものが混在してもかまわない。
かくして図１に示すように色々の模様（Ａ，Ｂ，Ｃ，Ｄ・・・）や色彩のトイレットペーパを一度に集めることができ、これを一つのパックに納めると人目を引くトイレットペーパのパックを得ることができる。
【図面の簡単な説明】
【００２１】
【図１】本発明で得た種々の模様や色彩のトイレットペーパを一つのパックに納めるように配列したトイレットペーパの斜視図である。
【図２】アニロックスローラの横方向に間隔をあけてトイレットペーパの幅に相当する幅にメッシュを付与したアニロックスローラの側面図である。
【図３】フレキソ印刷方式を示す概略側面図である。
【図４】フレキソ印刷機の多色印刷方法における印刷装置の１ユニットの概略側面図である。
【図５】図４に示すインキ皿とインキ出しローラ方式を密閉型チャンバーにした概略側面図である。
【符号の説明】
【００２２】
３    アニロックスローラ
９    トイレットペーパ
Ａ，Ｂ，Ｃ，Ｄ    模様又は色彩
Ｐ    トイレットペーパの原反
７    間隔
８    メッシュ
【図１】
2006136499.tif 000003
【図２】
2006136499.tif 000004
【図３】
2006136499.tif 000005
【図４】
2006136499.tif 000006
【図５】
2006136499.tif 000007